【手続補正書】
【提出日】平成29年10月20日(2017.10.20)
【手続補正１】
【補正対象書類名】明細書
【補正対象項目名】発明の名称
【補正方法】変更
【補正の内容】
【発明の名称】無線通信装置および無線通信方法
【手続補正２】
【補正対象書類名】特許請求の範囲
【補正対象項目名】全文
【補正方法】変更
【補正の内容】
【特許請求の範囲】
【請求項１】
第１フレームの通信と、第２フレームの通信とを、同時に実行し、前記第１フレームおよび前記第２フレームの通信完了後、前記第１フレームに対する送達確認を表す第３フレームの通信と、前記第２フレームに対する送達確認を表す第４フレームの通信とを行う通信部と、
前記第３フレームの通信および前記第４フレームの通信が同時に行われないように制御する制御部と
を備えた無線通信装置。
【請求項２】
前記通信部は、送信の許可を通知する第５フレームを送信し、前記第５フレームの送信完了から第１時間経過後に前記第１フレームを受信するとともに前記第２フレームを送信し、
前記通信部は、前記第２フレームの送信完了から第２時間経過後に前記第４フレームを受信し、前記第１フレームの受信完了から、前記第２時間と前記第４フレームの長さとの合計よりも長い第３時間経過後に、前記第３フレームを送信する
請求項１に記載の無線通信装置。
【請求項３】
前記通信部は、前記送信の許可を要求する第６フレームを受信し、前記第６フレームの受信完了から第４時間経過後に前記第５フレームを送信し、
前記第６フレームは、無線媒体を占有する期間の長さを表す第１情報が設定されており、
前記第５フレームは、前記第６フレームに設定されている前記期間の長さから、前記第４時間と前記第５フレームの長さとを減算した期待値より小さい長さを表す第２情報を含む
請求項２に記載の無線通信装置。
【請求項４】
前記通信部は、送信の許可を通知する第５フレームを送信し、
前記通信部は、前記第５フレームの送信完了から第１時間経過後に前記第１フレームを受信すると同時に前記第２フレームを送信し、
前記通信部は、前記第１フレームの受信完了から第２時間経過後に前記第３フレームを送信し、
前記制御部は、前記第２フレームの送信完了後、前記第４フレームの受信を第３時間の間待機し、
前記第３時間は、前記第２時間の長さと前記第３フレームの長さとの合計よりも長い
請求項１に記載の無線通信装置。
【請求項５】
前記第２フレームの受信先は、前記第１フレームの送信元と同じ無線通信装置、または前記第１フレームの送信元と異なる無線通信装置である
請求項３に記載の無線通信装置。
【請求項６】
前記通信部は、自装置宛の、送信の許可を通知する第５フレームを受信し、
前記通信部は、前記第５フレームの受信完了から第１時間経過後に前記第１フレームを送信し、
前記通信部は、前記第１フレームの送信完了から第２時間経過後に前記第３フレームを受信し、
前記通信部は、前記第５フレームの受信完了から前記第１時間経過後に自装置宛の前記第２フレームを受信したとき、前記第４フレームを、前記第２フレームの受信完了から第３時間経過後に送信し、
前記第３時間の長さは、前記第２時間の長さと前記第３フレームの長さとの合計よりも長い
請求項１に記載の無線通信装置。
【請求項７】
前記通信部は、自装置宛の、送信の許可を通知する第５フレームを受信し、
前記通信部は、前記第５フレームの受信完了から第１時間経過後に前記第１フレームを送信し、
前記通信部は、前記第５フレームの受信完了から前記第１時間経過後に自装置宛の前記第２フレームを受信したとき、前記第４フレームを、前記第２フレームの受信完了から第２時間経過後に送信し、
前記制御部は、前記第１フレームの送信完了後、第３時間の間、前記第３フレームの受信を待機し、
前記第３時間の長さは、前記第２時間の長さと前記第４フレームの長さとの合計よりも長い
請求項１に記載の無線通信装置。
【請求項８】
前記通信部は、送信の許可を通知する第５フレームを送信し、
前記通信部は、前記第５フレームの送信完了から第１時間経過後に前記第１フレームを受信するとともに、前記第２フレームを送信し、
前記通信部は、前記第２フレームの送信完了から第２時間経過後に前記第４フレームを受信し、
前記通信部は、前記第１フレームの受信完了から第３時間経過後に前記第３フレームを送信し、
前記第３時間の長さは、前記第２時間の長さと前記第４フレームの長さとの合計よりも長い
請求項１に記載の無線通信装置。
【請求項９】
前記通信部は、送信の許可を通知する第５フレームを送信し、
前記通信部は、前記第５フレームの送信完了から第１時間経過後に前記第１フレームを受信するとともに、前記第２フレームを送信し、
前記通信部は、前記第１フレームの受信完了から第２時間経過後に前記第３フレームを送信し、
前記制御部は、前記第２フレームの送信完了後、第３の時間の間、前記第４フレームの受信を待機し、
前記第３時間の長さは、前記第２時間の長さと前記第３フレームの長さとの合計よりも長い
請求項１に記載の無線通信装置。
【請求項１０】
少なくとも１つのアンテナをさらに備えた請求項１ないし９のいずれか一項に記載の無線通信装置。
【請求項１１】
前記通信部は、送信部と受信部とを備えた請求項１ないし９のいずれか一項に記載の無線通信装置。
【請求項１２】
送信の許可を通知する自装置宛の第１フレームを受信する受信部と、
前記第１フレームの受信完了から第１時間経過後に第２フレームを送信する送信部と、
前記第２フレームの送信完了後、前記第２フレームの送達確認応答を表す第３フレームの受信を待機する制御部とを備え、
前記１フレームには、無線媒体を占有する期間の長さを表す第１情報が設定されており、
前記制御部は、前記１情報に応じて、前記第３フレームの受信を待機する時間長を制御する
無線通信装置。
【請求項１３】
前記送信部は、前記送信の許可を要求する第４フレームを送信し、前記受信部は、前記第４フレームの送信完了から第２時間経過後に、前記第４フレームの応答として前記第１フレームを受信し、
前記第４フレームは、前記無線媒体を占有する期間の長さを表す第２情報を含み、
前記制御部は、前記第１情報と前記第２情報との関係に応じて、前記第３フレームの受信を待機する時間を制御する
請求項１２に記載の無線通信装置。
【請求項１４】
前記制御部は、前記第１情報が、前記第２情報から前記第２時間と前記第１フレームの長さとを減算した期待値に一致するときは、第３の時間の間前記第３フレームの受信を待機し、前記期待値より小さいときは、前記第３の時間と前記第３フレームの長さとの合計より長い第４の時間の間待機する
請求項１３に記載の無線通信装置。
【請求項１５】
少なくとも１つのアンテナをさらに備えた請求項１２ないし１４のいずれか一項に記載の無線通信装置。
【請求項１６】
第１フレームと第２フレームを受信する受信部と、
第３フレームを送信する送信部と、を備え、
前記送信部は、送信の許可を通知する他装置宛の前記第１フレームが受信され、かつ前記第１フレームの受信完了から第１時間経過後に自装置宛の前記第２フレームが受信されたとき、前記第２フレームに対する送達確認応答を表す前記第３フレームを、前記第２フレームの受信完了から第２時間経過後に送信し、
前記第２時間は、前記他装置から前記送信の許可に応じて送信される第４フレームに対する送達確認を表す第５フレームの長さと、前記第４フレームの終端から前記第５フレームの始端までの第３時間との合計よりも長い
無線通信装置。
【請求項１７】
少なくとも１つのアンテナをさらに備えた請求項１６に記載の無線通信装置。
【請求項１８】
無線端末による無線通信方法であって、
第１フレームの通信と、第２フレームの通信とを、同時に実行し、
前記第１フレームおよび前記第２フレームの通信完了後、前記第１フレームに対する送達確認を表す第３フレームの通信と、前記第２フレームに対する送達確認を表す第４フレームの通信とを実行し、
前記第３フレームの通信および前記第４フレームの通信が同時に行われないように制御する
無線通信方法。
【請求項１９】
無線端末による無線通信方法であって、
送信の許可を通知する自端末宛の第１フレームを受信し、
前記第１フレームの受信完了から第１時間経過後に第２フレームを送信し、
前記第２フレームの送信完了後、前記第２フレームの送達確認応答を表す第３フレームの受信を待機し、
前記１フレームには、無線媒体を占有する期間の長さを表す第１情報が設定されており、
前記１情報に応じて、前記第３フレームの受信を待機する時間長を制御する
無線通信方法。
【請求項２０】
無線端末による無線通信方法であって、
送信の許可を通知する他端末宛の第１フレームを受信し、
前記第１フレームの受信完了から第１時間経過後に自端末宛の第２フレームを受信し、  前記第２フレームに対する送達確認応答を表す第３フレームを、前記第２フレームの受信完了から第２時間経過後に送信し、
前記第２時間は、前記他端末から前記送信の許可に応じて送信される第４フレームに対する送達確認を表す第５フレームの長さと、前記第４フレームの終端から前記第５フレームの始端までの第３時間との合計よりも長い
無線通信方法。